(57)【要約】      （修正有）【課題】視覚に頼ることなく開封部を容易に判別することができる包装容器を提供する。【解決手段】包装容器１Ａであって、有底筒状の本体部１０と、本体部１０の上縁部に連設された切妻屋根型の頂部２０と、を備えている。本体部１０には、角筒形状の周壁部１１と、周壁部１１の底部を閉塞する底板１２と、が形成されている。頂部２０には、前後一対のシール部３０，３０が形成されている。前後のシール部３０，３０同士が貼り合わされている。シール部３０，３０の長手方向の端部に開封部４０が設けられている。周壁部１１において開封部４０側に位置する一の側壁１１ｄには、外側に突出した凸部５０が設けられている。【選択図】図１
2019210034.tif 000002
【特許請求の範囲】
【請求項１】
有底筒状の本体部と、
前記本体部の上縁部に連設された切妻屋根型の頂部と、を備え、
前記本体部には、
角筒形状の周壁部と、
前記周壁部の底部を閉塞する底板と、が形成されており、
前記頂部には、前後一対の帯状のシール部が形成されており、
前後の前記シール部同士が貼り合わされており、
前記シール部の長手方向の端部に開封部が設けられ、
前記周壁部において前記開封部側又は前記開封部と反対側に位置する一の側壁には、外側に突出した凸部が設けられていることを特徴とする包装容器。
【請求項２】
有底筒状の本体部と、
前記本体部の上縁部に連設された切妻屋根型の頂部と、を備え、
前記本体部には、
角筒形状の周壁部と、
前記周壁部の底部を閉塞する底板と、が形成されており、
前記頂部には、前後一対の帯状のシール部が形成されており、
前後の前記シール部同士が貼り合わされており、
前記シール部の長手方向の端部に開封部が設けられ、
前記周壁部において前記開封部側に位置する側壁以外の各側壁には、外側に突出した凸部が設けられていることを特徴とする包装容器。
【請求項３】
請求項１に記載の包装容器であって、
前記凸部は、二つ以上設けられ、
隣り合う前記凸部同士は、上下方向に互いに離間していることを特徴とする包装容器。
【請求項４】
請求項２に記載の包装容器であって、
前記凸部は、二つ以上ずつ設けられ、
各側壁において隣り合う前記凸部同士は、上下方向に互いに離間していることを特徴とする包装容器。
【発明の詳細な説明】
【技術分野】
【０００１】
本発明は、包装容器に関する。
【背景技術】
【０００２】
飲料を収容する包装容器としては、有底筒状の本体部と、本体部の上縁部に連設された切妻屋根型の頂部と、を備えているゲーブルトップ型の包装容器がある。切妻屋根型の頂部には、前後一対の傾斜板と、内側に折り込まれた左右一対の側板と、傾斜板及び側板に連設された前後一対のシール部と、が形成されており、前後のシール部同士が貼り合わされている。両シール部の長手方向の一端部には、開封部が設けられている。この種の包装容器としては、開封部と非開封部とを視覚で判別できるものが開発されている。
【０００３】
例えば、特許文献１には、シール部のシール幅を開封部側に対して非開封部側を下方に向かって幅広にし、さらに傾斜板と本体部との境界の横折線を開封部側から非開封部側に向かって下方に傾斜させた包装容器が記載されている。当該包装容器では、開封部側と非開封部側とを非対称形状にすることにより、開封部と非開封部とを視覚で判別することができる。
【０００４】
また、特許文献２には、傾斜板と本体部との境界の横折線の一部を水平方向に対して下方に傾斜させて延ばした包装容器が記載されている。当該包装容器でも、開封部側と非開封部側とを非対称形状にすることにより、開封部と非開封部とを視覚で判別することができる。
【先行技術文献】
【特許文献】
【０００５】
【特許文献１】特開２０１０−６４５９号公報
【特許文献２】特許第６１７７６４８号公報
【発明の概要】
【発明が解決しようとする課題】
【０００６】
前記した従来の包装容器は、いずれも視覚による開封部の判別を前提とするため、停電等の視界不良時や視覚障害者の利用については何ら考慮されていない。
【０００７】
本発明は、前記した問題を解決し、視覚に頼ることなく開封部を容易に判別することができる包装容器を提供することを課題とする。
【課題を解決するための手段】
【０００８】
前記課題を解決するため、本発明（本願第一発明）は、包装容器であって、有底筒状の本体部と、前記本体部の上縁部に連設された切妻屋根型の頂部と、を備えている。前記本体部には、角筒形状の周壁部と、前記周壁部の底部を閉塞する底板と、が形成されている。前記頂部には、前後一対の帯状のシール部が形成されている。前後の前記シール部同士が貼り合わされている。前記シール部の長手方向の端部に開封部が設けられている。前記周壁部において前記開封部側又は前記開封部と反対側に位置する一の側壁には、外側に突出した凸部が設けられている。
【０００９】
また、前記課題を解決するため、本発明（本願第二発明）は、包装容器であって、有底筒状の本体部と、前記本体部の上縁部に連設された切妻屋根型の頂部と、を備えている。前記本体部には、角筒形状の周壁部と、前記周壁部の底部を閉塞する底板と、が形成されている。前記頂部には、前後一対の帯状のシール部が形成されている。前後の前記シール部同士が貼り合わされている。前記シール部の長手方向の端部に開封部が設けられている。前記周壁部において前記開封部側に位置する側壁以外の各側壁には、外側に突出した凸部が設けられている。
【００１０】
本発明の包装容器では、凸部を触ることで、開封部の位置を容易に把握することができる。このように、本発明の包装容器では、視覚に頼ることなく触覚を通じて開封部を容易に判別することができるため、停電等の視界不良時や視覚障害者の利便性を高めることができる。
【００１１】
前記した本願第一発明の包装容器において、前記凸部を二つ以上設け、隣り合う前記凸部同士を上下方向に互いに離間することが好ましい。
前記した本願第二発明の包装容器において、前記凸部を二つ以上ずつ設け、各側壁において隣り合う前記凸部同士を上下方向に互いに離間することが好ましい。
この構成では、隣り合う凸部同士の間に指を入れることで、包装容器を持ちやすくなる。これにより、包装容器の使用時における取扱性が向上する。
【発明の効果】
【００１２】
本発明の包装容器によれば、視覚に頼ることなく開封部を容易に判別することができる。
【図面の簡単な説明】
【００１３】
【図１】本発明の第一実施形態に係る包装容器を示した斜視図である。
【図２】本発明の第一実施形態の第一変形例に係る包装容器を示した斜視図である。
【図３】本発明の第一実施形態の第二変形例に係る包装容器を示した斜視図である。
【図４】本発明の第二実施形態に係る包装容器を示した斜視図である。
【図５】試験体Ｔ１，Ｔ２，Ｔ３，Ｔ４，Ｔ５，Ｔ６，Ｔ７の条件及び評価結果を示す表である。
【図６】試験体Ｔ６に係る包装容器を示した斜視図である。
【図７】試験体Ｔ７に係る包装容器を示した斜視図である。
【発明を実施するための形態】
【００１４】
本発明の実施形態について、適宜図面を参照しながら詳細に説明する。
なお、各実施形態の説明において、同一の構成要素に関しては同一の符号を付し、重複した説明は省略するものとする。
【００１５】
［第一実施形態］
第一実施形態の包装容器１Ａは、図１に示すように、飲料などの液体を収容するゲーブルトップ型の液体用容器である。
【００１６】
包装容器１Ａは、有底筒状の本体部１０と、本体部１０の上縁部に連設された切妻屋根型の頂部２０と、を備えている。
包装容器１Ａは、紙製の一枚のシートによって形成されている。包装容器１Ａを構成するシートは、多層構造の紙基材の内面及び外面にラミネート加工によって樹脂層を積層したものである。
【００１７】
本体部１０は、角筒形状の周壁部１１と、周壁部１１の底部を閉塞している底板１２と、を備えている。周壁部１１には、４つの側壁１１ａ，１１ｂ，１１ｃ，１１ｄが形成されている。各側壁１１ａ〜１１ｄの高さ寸法は、例えば、１９．５ｍｍである。各側壁１１ａ〜１１ｄの幅寸法は、例えば、７ｍｍである。
【００１８】
頂部２０には、前後の側壁１１ａ，１１ｂの上縁部にそれぞれ連設された前後一対の傾斜板２１，２１と、左右の側壁１１ｃ，１１ｄの上縁部にそれぞれ連設された左右一対の側板２２，２２と、が形成されている。さらに、頂部２０には、傾斜板２１の上縁部及び側板２２の上縁部に連設された前後一対の帯状のシール部３０，３０が形成されている。傾斜板２１，２１と側壁１１ａ，１１ｂとの境界には、横折線６０，６０が形成されている。横折線６０の全体が水平方向に対して平行に延びている。
【００１９】
前側の傾斜板２１は、前側の側壁１１ａの上縁部から後斜め上方に向けて立ち上げられている平板である。後側の傾斜板２１は、後側の側壁１１ｂの上縁部から前斜め上方に向けて立ち上げられている平板である。前後の傾斜板２１，２１の上縁部同士は、頂部２０の前後方向の中間部で接している。また、左右の側板２２，２２は、頂部２０の内側に折り込まれている。このようにして、頂部２０は、切妻屋根型に形成されている。
【００２０】
前後のシール部３０，３０同士は、ヒートシールによって貼り合わされている。これにより、頂部２０の上端部が密閉されている。第一実施形態の包装容器１Ａでは、前後のシール部３０，３０の右端部の接合力を低下させることで、両シール部３０，３０の右端部に開封部４０が設定されている。
【００２１】
周壁部１１において開封部４０側に位置する一の側壁１１ｄには、外側に突出した凸部５０が設けられている。凸部５０は、本実施形態では側壁１１ｄのみに設けられている。凸部５０は、側壁１１ｄと別体で形成された平板状のシート材からなる。凸部５０は、側壁１１ｄの外面に貼り付けられている。凸部５０の材料は、特に制限されないが、リサイクル性に優れた紙を用いることが好ましい。凸部５０の形状は、特に制限されないが、本実施形態では側壁１１ｄの幅方向に延びる帯状を呈する。凸部５０は、側壁１１ｄの幅方向の全長に亘って設けられている。
【００２２】
凸部５０は、本実施形態では二つ設けられている。隣り合う凸部５０，５０同士は、上下方向に互いに離間している。隣り合う凸部５０，５０同士の間隔Ｇは、親指を入れることが可能であれば特に制限されないが、例えば、１５〜２０ｍｍであることが好ましい。
【００２３】
凸部５０の突出寸法は、適宜設定すればよいが、例えば、０．１〜５ｍｍであることが好ましい。凸部５０の幅寸法Ｄ（上下方向に沿う寸法Ｄ）は、適宜設定すればよいが、例えば、５〜３０ｍｍであることが好ましい。このような突出寸法や幅寸法Ｄとすることにより、ユーザーが凸部５０を触ったときにその存在を確実に認識できるとともに、包装容器１Ａの保管時に凸部５０が邪魔になることを抑制できる。
【００２４】
凸部５０の設置位置は、特に制限されないが、側壁１１ｄの上下方向の中心よりも上側に設置することが好ましく、側壁１１ｄの上縁部から下方に４０〜５０％（７．８〜９．７５ｍｍ）の位置に設置することがより好ましい。このような設置位置とすることにより、ユーザーが掴むことの多い位置に凸部５０があるため、包装容器１Ａの使用時における取扱性が向上する。
【００２５】
以上のような第一実施形態の包装容器１Ａでは、図１に示すように、凸部５０を触ることで、凸部５０の上方に開封部４０があることを即座に理解できるため、開封部４０の位置を容易に把握することができる。このように、第一実施形態の包装容器１Ａでは、視覚に頼ることなく触覚を通じて開封部４０を容易に判別することができるため、停電等の視界不良時や視覚障害者の利便性を高めることができる。
【００２６】
第一実施形態の包装容器１Ａでは、側壁１１ｄに二つの凸部５０，５０が設けられ、隣り合う凸部５０，５０同士が上下方向に互いに離間している。この構成では、隣り合う凸部５０，５０同士の間に指を入れることで、包装容器１Ａを持ちやすくなる。これにより、包装容器１Ａの使用時における取扱性が向上する。
【００２７】
第一実施形態の包装容器１Ａでは、側壁１１ｄの幅方向の全長に亘って凸部５０が設けられる。この構成では、ユーザーの利き手の左右を問わずに凸部５０，５０同士の間に指を入れやすくなる。
【００２８】
以上、本発明の第一実施形態について説明したが、本発明は前記第一実施形態に限定されることなく、その趣旨を逸脱しない範囲で適宜に変更が可能である。
第一実施形態の包装容器１Ａでは、凸部５０と側壁１１ｄとを別体に形成したが、凸部５０と側壁１１ｄとを一体に形成してもよい。一体形成の場合には、例えば、プレス加工により側壁１１ｄの一部を突出させることで凸部５０を形成する。
【００２９】
第一実施形態の包装容器１Ａでは、凸部５０の材料として紙を基材としたが、例えば、フィルムやウレタン樹脂等を用いてもよい。特に、ウレタン樹脂を用いると、滑り止め効果を高めることができるので好ましい。
【００３０】
第一実施形態の包装容器１Ａでは、凸部５０を平板状に形成したが、エンボス加工を凸部５０に施してもよいし、開封部４０側であることを示す点字を凸部５０に打ち込んでもよい。
【００３１】
第一実施形態の包装容器１Ａでは、凸部５０の数を二つにしたが、凸部５０の数は単数でも二つ以外の複数でもよい。単数の場合でも、凸部５０に指を掛けることで、包装容器１Ａを持ちやすくなる。
【００３２】
第一実施形態の包装容器１Ａでは、複数の凸部５０を同形状にしたが、複数の凸部５０を異形状にしてもよい。
【００３３】
第一実施形態の包装容器１Ａでは、側壁１１ｄの幅方向の全長に亘って凸部５０を設けたが、凸部５０の設置範囲は限定されるものではない。例えば、図２に示すように、側壁１１ｄの幅方向の両端のみに凸部５０を設けてもよい。また、図３に示すように、側壁１１ｄの幅方向の中央のみに凸部５０を設けてもよい。図２に示す構成では、ユーザーの利き手の左右を問わずに凸部５０，５０同士の間に指を入れやすくなる。
【００３４】
第一実施形態の包装容器１Ａでは、周壁部１１において開封部４０側に位置する一の側壁１１ｄに凸部５０を設けたが、開封部４０と反対側に位置する一の側壁１１ｃに凸部５０を設けてもよい。この構成では、凸部５０を触ることで、側壁１１ｃと反対側に位置する側壁１１ｄの上方に開封部４０があることを即座に理解できるため、開封部４０の位置を容易に把握することができる。
【００３５】
第一実施形態の包装容器１Ａは、液体を収容する容器であるが、本発明の包装容器に収容される内容物は限定されるものではなく、例えば、粒状や粉状の内容物を収容する包装容器に本発明を適用してもよい。
【００３６】
［第二実施形態］
第二実施形態の包装容器１Ｂは、図４に示すように、前記した第一実施形態の包装容器１Ａ（図１参照）と略同じ構成であり、三つの側壁１１ａ，１１ｂ，１１ｃに凸部５０がそれぞれ設けられている点が異なる。
【００３７】
第二実施形態の包装容器１Ｂでは、開封部４０側に位置する側壁１１ｄ以外の各側壁１１ａ，１１ｂ，１１ｃに、外側に突出した凸部５０が設けられている。凸部５０は、側壁１１ａ，１１ｂ，１１ｃに二つずつ設けられている。各側壁１１ａ，１１ｂ，１１ｃにおいて隣り合う凸部５０，５０同士は、上下方向に互いに離間している。
【００３８】
以上のような第二実施形態の包装容器１Ｂでは、図４に示すように、凸部５０を触ることで、凸部５０のない側壁１１ｄを把握し、当該側壁１１ｄの上方に開封部４０があることを即座に理解できるため、開封部４０の位置を容易に把握することができる。このように、第二実施形態の包装容器１Ｂでは、視覚に頼ることなく触覚を通じて開封部４０を容易に判別することができるため、停電等の視界不良時や視覚障害者の利便性を高めることができる。
【００３９】
第二実施形態の包装容器１Ｂでは、側壁１１ａ，１１ｂ，１１ｃに凸部５０が二つずつ設けられ、各側壁１１ａ，１１ｂ，１１ｃにおいて隣り合う凸部５０，５０同士が上下方向に互いに離間している。この構成では、隣り合う凸部５０，５０同士の間に指を入れることで、包装容器１Ｂを持ちやすくなる。また、対向する前後の側壁１１ａ，１１ｂにおいて凸部５０，５０同士の間にそれぞれ指（合計二本の指）を入れることができるため、包装容器１Ｂをより持ちやすくなる。これにより、包装容器１Ｂの使用時における取扱性が向上する。
【００４０】
第二実施形態の包装容器１Ｂでは、各側壁１１ａ，１１ｂ，１１ｃの幅方向の全長に亘って凸部５０が設けられる。この構成では、ユーザーの利き手の左右を問わずに凸部５０，５０同士の間に指を入れやすくなる。
【００４１】
以上、本発明の第二実施形態について説明したが、本発明は前記第二実施形態に限定されることなく、前記第一実施形態と同様に、その趣旨を逸脱しない範囲で適宜に変更が可能である。
【実施例】
【００４２】
次に、本発明の実施例について説明する。図５は、試験体Ｔ１，Ｔ２，Ｔ３，Ｔ４，Ｔ５，Ｔ６，Ｔ７の条件及び評価結果を示す表である。本実施例では、凸部が「暗所認識性」、「持ちやすさ」、「加工適性」に与える影響について確認することを目的としている。
【００４３】
（試験体の準備）
本実施例では、図５に示す包装容器の試験体Ｔ１，Ｔ２，Ｔ３，Ｔ４，Ｔ５，Ｔ６，Ｔ７の７形態を準備した。試験体Ｔ１は、前記した第一実施形態（図１参照）と同じ構成にした。試験体Ｔ１では、開封部側に位置する一の側壁に凸部を設けた。凸部は、試験体Ｔ１では突出寸法０．５ｍｍのものを二つ設けた。二つの凸部を上下方向に互いに離間した。
【００４４】
試験体Ｔ２は、前記した第二実施形態（図４参照）と同じ構成にした。試験体Ｔ２は、開封部側に位置する側壁以外の三つの側壁に凸部をそれぞれ設けた。凸部は、試験体Ｔ２では突出寸法０．５ｍｍのものを各側壁に二つ設けた。各側壁において二つの凸部を上下方向に互いに離間した。
【００４５】
試験体Ｔ３は、凸部を一つにした点以外は、試験体Ｔ１と同じ構成にした。試験体Ｔ４は、各側壁の凸部を一つにした点以外は、試験体Ｔ２と同じ構成にした。試験体Ｔ１〜Ｔ４では、別体の凸部を側壁に貼り付けた。
【００４６】
試験体Ｔ５は、凸部がない点以外は、試験体Ｔ１と同じ構成にした。試験体Ｔ１〜Ｔ５では、傾斜板と本体部との境界の横折線全体を水平方向に対して平行に延ばした（図１〜図４参照）。
【００４７】
図６に示す試験体Ｔ６は、特許文献１に記載の発明と同じ構成にした。試験体Ｔ６は、本体部１０１と、頂部１０２とで構成されている。頂部１０２には、前後一対の傾斜板１０２ａ，１０２ａと、左右一対の側板１０２ｂ，１０２ｂ（左側図示省略）と、前後一対のシール部１０２ｃ，１０２ｃとが形成されている。両シール部１０２ｃ，１０２ｃの右端部に開封部１０３が設定されている。両シール部１０２ｃ，１０２ｃの開封部１０３以外の部位に非開封部１０４が設定されている。試験体Ｔ６では、シール部１０２ｃ，１０２ｃのシール幅を開封部１０３側に対して非開封部１０４側を下方に向かって幅広にし、さらに傾斜板１０２ａと本体部１０１との境界の横折線１０５を開封部１０３側から非開封部１０４側に向かって下方に傾斜させた。試験体Ｔ６は、開封部１０３側と非開封部１０４側とが非対称になっている。
【００４８】
図７に示す試験体Ｔ７は、特許文献２に記載の発明と同じ構成にした。試験体Ｔ７は、本体部２０１と、頂部２０２とで構成されている。頂部２０２には、前後一対の傾斜板２０２ａ，２０２ａと、左右一対の側板２０２ｂ，２０２ｂ（左側図示省略）と、前後一対のシール部２０２ｃ，２０２ｃとが形成されている。両シール部２０２ｃ，２０２ｃの右端部に開封部２０３が設定されている。両シール部２０２ｃ，２０２ｃの開封部２０３以外の部位に非開封部２０４が設定されている。試験体Ｔ７では、傾斜板２０２ａと本体部２０１との境界の横折線２０５の一部を水平方向に対して下方に傾斜させて延ばした。試験体Ｔ７は、開封部２０３側と非開封部２０４側とが非対称になっている。
【００４９】
（暗所認識性評価）
暗所認識性は、暗所において開封部を容易に認識できる場合を「○」と評価し、開封部を認識できる場合を「△」と評価し、開封部を認識できない場合を「×」と評価した。
【００５０】
（暗持ちやすさ評価）
持ちやすさは、試験体を良好に持ちやすい場合を「○」と評価し、試験体を持ちやすい場合を「△」と評価し、試験体を持ちにくい場合を「×」と評価した。
【００５１】
（加工適性評価）
加工適性は、傾斜板と本体部との角部に皺がなく良好である場合を「○」と評価し、角部に皺がない場合を「△」と評価し、角部に皺がある場合を「×」と評価した。
【００５２】
（評価結果）
図５に示す試験体Ｔ１〜Ｔ４の結果に示すように、凸部を設けると、触覚を通じて開封部を判別することができるため、暗所認識性が「○」という結果となった。一方、試験体Ｔ５〜Ｔ７の結果に示すように、凸部を設けないと、開封部を判別することができないため、暗所認識性が「×」という結果となった。また、試験体Ｔ６，Ｔ７のように開封部１０３，２０３側と非開封部１０４，２０４側とを非対称形状にしても、暗所認識性の向上に寄与しないことが確認できた。
【００５３】
試験体Ｔ１〜Ｔ４の結果に示すように、凸部を設けると、凸部に指を掛けることができるため、持ちやすさが「○」又は「△」という結果となった。試験体Ｔ１，Ｔ２では、隣り合う凸部同士の間に指を入れることができるため、凸部を一つにした場合に比べ、さらに持ちやすくなることが確認できた。一方、試験体Ｔ５〜Ｔ７の結果に示すように、凸部を設けないと、指を掛けるところがないため、持ちやすさが「×」という結果となった。
【００５４】
試験体Ｔ６の結果に示すように、横折線１０５全体を水平方向に対して傾斜すると、角部に皺ができるため、加工適性が「×」という結果となった。一方、試験体Ｔ１〜Ｔ５の結果に示すように、横折線全体を水平方向に対して平行に延ばすと、角部に皺ができないため、持ちやすさが「○」という結果となった。また、試験体Ｔ７の結果に示すように、横折線２０５の一部を水平方向に対して平行に延ばすと、角部に皺ができないため、持ちやすさが「○」という結果となった。また、試験体Ｔ１〜Ｔ４のように側壁に凸部を設けたとしても、加工適性を損なわないことが確認できた。
【００５５】
以上説明したように、側壁に凸部を設けると、「暗所認識性」及び「持ちやすさ」の向上に寄与できるとともに「加工適性」を損なわないことが確認できた。
【符号の説明】
【００５６】
１Ａ    包装容器（第一実施形態）
１Ｂ    包装容器（第二実施形態）
１０    本体部
１１    周壁部
１１ａ  側壁
１１ｂ  側壁
１１ｃ  側壁
１１ｄ  側壁
１２    底板
２０    頂部
３０    シール部
４０    開封部
５０    凸部
【図１】
2019210034.tif 000003
【図２】
2019210034.tif 000004
【図３】
2019210034.tif 000005
【図４】
2019210034.tif 000006
【図５】
2019210034.tif 000007
【図６】
2019210034.tif 000008
【図７】
2019210034.tif 000009